(57)【要約】【課題】    表示部に対して取り付け取り外しを簡単に行うことができ、しかも、表示部に対するフィルタの相対位置を簡単に調整することができる薄型ディスプレイ用フィルタを提供する。【解決手段】  薄型ディスプレイ３０を構成するフロントカバー３１として液晶表示部３３の前面に取り付け可能に構成され、液晶表示部３３に表示される左眼用と右眼用の視差画像情報を所望の方向へ分割偏光する偏光フィルタ３ａと、液晶表示部３３に対する偏光フィルタ３ａの位置を調整可能な位置調整手段４ａ，４ｂとを備え、枠部２に回転自在に設けられた操作部と、操作部の回転軸線に対して偏心した位置に中心軸を有する円形カム部とを有し、これが液晶表示部３３の周部の溝部３４に対して回転摺動可能に組み込まれる。【選択図】      図２
2005173033.tif 000002
【特許請求の範囲】
【請求項１】
薄型ディスプレイを構成するフロントカバーとして表示部の前面に取り付け可能な枠部を有する薄型ディスプレイ用フィルタであって、前記表示部に表示される左眼用と右眼用の視差画像情報を所望の方向へ分割偏光する偏光フィルタと、前記表示部に対する前記偏光フィルタの位置を調整可能な位置調整手段とを備え、
前記位置調整手段は、前記枠部に回転自在に設けられたつまみ部と、このつまみ部の背部に設けられ、当該つまみ部の回転軸線に対して偏心した位置に中心軸を有する円形カム部とを有し、
前記表示部と当該表示部の周部に形成されたリアカバーとの間に形成された溝部に対して前記円形カム部が回転摺動可能に組み込まれることを特徴とする薄型ディスプレイ用フィルタ。
【請求項２】
前記溝部は前記表示部の外縁部と前記リアカバーの内縁部とにより形成されていることを特徴とする請求項１に記載の薄型ディスプレイ用フィルタ。
【請求項３】
前記枠部には、前記表示部の金属製の枠体に対向する部位に、取付用の磁石が設けられていることを特徴とする請求項１または請求項２に記載の薄型ディスプレイ用フィルタ。
【請求項４】
前記位置調整手段は、前記枠部に間隔を隔てて一対設けられていることを特徴とする請求項１乃至請求項３のいずれか１項に記載の薄型ディスプレイ用フィルタ。
【請求項５】
前記偏光フィルタは、前記薄型ディスプレイに取り付けられた状態で、前記表示部の表示面に密着することを特徴とする請求項１乃至請求項４のいずれか１項に記載の薄型ディスプレイ用フィルタ。
【発明の詳細な説明】
【技術分野】
【０００１】
本発明は、表示部、例えば、液晶表示部に表示される画像情報を立体的に見るための薄型ディスプレイ用フィルタに関するものである。
【背景技術】
【０００２】
従来、写真，映画，テレビジョン等多くの分野において、３次元に画像を表現するための技術として種々の試みがなされている。３次元の画像を得るための観察方式としては、偏光メガネを用いて互いに異なった偏光状態に基づく視差画像を観察するものやレンチキュラーレンズを用いて複数の視差画像のうちから所定の視差画像を得て、さらにこの画像を観察者の所定の眼に導光する方法等が提案されている。
【０００３】
このうち、偏光メガネを用いた方式では、マイクロポール（μ−Ｐｏｌ）やマイクロポーラライザー（micropolarizer）と称される分割された波長板を用いたものが知られている。
この方式では、液晶表示部と、当該液晶表示部に設けられた波長板を用いたフィルタとからなる構造を有している。液晶表示部は、一対の偏光板にＲＧＢの画素を有する液晶板が形成され、波長板からなるフィルタは、例えば１ライン置きに波長板を透明保護基板の片面に配設した構造を有している（例えば、特許文献１参照）。
【０００４】
このような構造によれば、液晶表示部から出た直線偏光を１ライン置きに配置された波長板で１ライン置きに回転させることにより、波長板を通過した直線偏光と波長板を通過しなかった直線偏光とを直交するものに変換することができる。そして、このように偏光された画像を偏光メガネを通じて目視することにより、右眼用画像が右眼に入り、左眼用画像が左眼に入るようになる。これにより、立体画像を観測することが可能となる。
【特許文献１】特開２００３−５０３７６号公報（段落００２０〜００２５，図１）
【発明の開示】
【発明が解決しようとする課題】
【０００５】
前記従来の波長板フィルタは、固定タイプであり、液晶表示部の前面に一度取り付けると、その後に取り外すことが難しい。このため、液晶表示部に立体像を表示させない通常使用時においても、波長板フィルタの使用を余儀なくされる。フィルタは、通常、無色透明であり、基材もガラス基板等が用いられることが多く、そのまま使用をしていても液晶表示部に表示される画像を目視することが可能ではある。
しかしながら、フィルタは基材がガラス等により形成されているため、反射などによる映り込みが生じやすく、見づらいという問題があった。
【０００６】
これを解決する方策として、フィルタを取り付け取り外し可能に構成することが考えられる。しかし、そうすると、前記従来の位置調整手段では、このような取り付け取り外し可能な構造に対処することができず、結果、フィルタの位置調整を行うことができなくなる。このため、採用することができない。
【０００７】
本発明の課題は、表示部に対して取り付け取り外しを簡単に行うことができ、しかも、表示部に対するフィルタの相対位置を簡単に調整することができる薄型ディスプレイ用フィルタを提供することを目的とする。
【課題を解決するための手段】
【０００８】
前記課題を解決した本発明のうち請求項１に係る薄型ディスプレイ用フィルタは、薄型ディスプレイを構成するフロントカバーとして表示部の前面に取り付け可能な枠部を有する薄型ディスプレイ用フィルタであって、前記表示部に表示される左眼用と右眼用の視差画像情報を所望の方向へ分割偏光する偏光フィルタと、前記表示部に対する前記偏光フィルタの位置を調整可能な位置調整手段とを備え、前記位置調整手段は、前記枠部に回転自在に設けられたつまみ部と、このつまみ部の背部に設けられ、当該つまみ部の回転軸線に対して偏心した位置に中心軸を有する円形カム部とを有し、前記表示部と当該表示部の周部に形成されたリアカバーとの間に形成された溝部に対して前記円形カム部が回転摺動可能に組み込まれることを特徴とする。
【０００９】
請求項１に記載の発明によれば、表示部の前面に薄型ディスプレイ用フィルタを取り付けることにより、これを薄型ディスプレイのフロントカバーとすることができる。取り付けは、つまみ部の背部に設けられた円形カム部が、表示部とリアカバーとの間に形成された溝部に対して組み込まれることにより行われる。
円形カム部は、前記溝部に対して回転摺動可能に組み込まれるようになっているので、表示部の前面に薄型ディスプレイ用フィルタを取り付けた後に、つまみ部を回動操作すると、その周部が溝部に対して回転摺動する。円形カム部は、つまみ部の回転軸線に対して偏心した位置に中心軸を有するので、つまみ部を回転させると、溝部に対して摺動回転しつつ所定方向（上下方向あるいは左右方向のいずれか）に移動され、その移動によって、薄型ディスプレイ用フィルタが所定方向（上下方向あるいは左右方向のいずれか）に位置調整される。ここで、所定方向とは、前記溝部が表示部の上方に設けられている場合に上下方向となり、また、前記溝部が表示部の左右側方に設けられている場合に左右方向となる。
【００１０】
このように、薄型ディスプレイ用フィルタを表示部に取り付ける際の、位置調整手段に係る部分の取り付けとしては、つまみ部の円形カム部を溝部に対して回転摺動可能に組み込むだけで良いので、薄型ディスプレイ用フィルタの取り付けが簡単であるという利点が得られる。なお、薄型ディスプレイ用フィルタを表示部から取り外す際には、前記円形カム部と溝部との組み込みを解除することにより簡単に行うことができる。
【００１１】
薄型ディスプレイ用フィルタが表示部に取り付けられると、表示部に表示される左眼用と右眼用の視差画像情報は、偏光フィルタを介して所望の方向へ分割偏光されることとなる。このとき、つまみ部を操作することによって、表示部に対する薄型ディスプレイ用フィルタの位置を調整することができ、これにより、表示部に表示される左眼用と右眼用の視差画像情報が偏光フィルタを通じて所望の方向へ正確に分割偏光されることとなる。位置調整後、偏光メガネを用いて表示部を目視することにより、立体画像が目視される。
【００１２】
請求項２に記載の発明は、請求項１に記載の薄型ディスプレイ用フィルタにおいて、前記溝部は前記表示部の外縁部と前記リアカバーの内縁部とにより形成されていることを特徴とする。
【００１３】
請求項２に記載の発明によれば、表示部の外縁部と前記薄型ディスプレイのリアカバーの内縁部とにより形成された溝部を利用してつまみ部の円形カム部を組み込むことができる。これにより、薄型ディスプレイが一般的に有している構造をうまく利用して薄型ディスプレイ用フィルタを取り付けることができ、汎用性の高い薄型ディスプレイ用フィルタが得られる。これにより、別途、表示部の周部に溝部を設ける必要が無くなり、製造コストの低減を図ることができる。
【００１４】
請求項３に記載の発明は、請求項１または請求項２に記載の薄型ディスプレイ用フィルタにおいて、前記枠部には、前記表示部の金属製の枠体に対向する部位に、取付用の磁石が設けられていることを特徴とする。
【００１５】
請求項３に記載の発明によれば、枠部には、表示部の金属製の枠体に対向する部位に、取付用の磁石が設けられているので、この磁石を用いて枠部を表示部の枠体に取り付けることができる。取り付け時には、表示部の枠体に枠部を接触させるという操作を行うだけで、枠部が表示部の枠体に吸着するようにして保持されることとなり、取り付けが行い易いという利点が得られる。したがって、取り付け操作を片手で行うこともできる。さらに、取り付けに際しては、一度、磁石により薄型ディスプレイ用フィルタを表示部の枠体におおまかな状態に吸着させておいてから、ずらすようにして正確な位置に移動させるようにして取り付けても良い。
【００１６】
また、取り外す際には、磁石による接合が解除されるように、薄型ディスプレイ用フィルタを薄型ディスプレイから引き剥がすようにすれば良い。
さらに、磁石による吸着によって、枠部が表示部の枠体に取り付けられるので、位置調整時に、枠部と枠体との相対的な移動が阻害されることは無く、前記位置調整手段による位置調整が妨げられるおそれがない。しかも、磁石による吸着力によって、前記つまみ部の回動操作時には、つまみ部に対して程よい操作感（吸着による抵抗感）が付与されるようになる。
【００１７】
請求項４に記載の発明は、請求項１乃至請求項３のいずれか１項に記載の薄型ディスプレイ用フィルタにおいて、前記位置調整手段は、前記枠部に間隔を隔てて一対設けられていることを特徴とする。
【００１８】
請求項４に記載の発明によれば、位置調整手段が枠部に間隔を隔てて一対配置されているので、間隔を隔てて設けられている分、つまみ部の回動操作による位置調整量を小さくすることができるようになり、より高精度の位置調整を行うことができる。また、一対の調整手段それぞれを用いて位置調整をすることができるので、ひとつの位置調整手段を用いて位置調整を行う場合に比べて、調整作業が行い易い。また、一対の位置調整手段における各つまみ部を操作して、相対する方向に位置調整をすることにより、結果的に、回転方向への位置調整が可能となる。
【００１９】
請求項５に記載の発明は、請求項１乃至請求項４のいずれか１項に記載の薄型ディスプレイ用フィルタにおいて、前記偏光フィルタは、前記薄型ディスプレイに取り付けられた状態で、前記表示部の表示面に密着することを特徴とする。
【００２０】
請求項５に記載の発明によれば、偏光フィルタは、薄型ディスプレイに取り付けられた状態で表示部の表示面に密着するので、表示部に表示される左眼用と右眼用の視差画像情報が、偏光フィルタを介して所望の方向へ略正確に分割偏光されることとなり、より精度の高い立体画像が得られるようになる。これにより、例えば、モアレ現象等の画像の劣化も生じ難くなる。
【発明の効果】
【００２１】
本発明によれば、表示部に対して取り付け取り外しを簡単に行うことができ、しかも、表示部に対するフィルタの相対位置を簡単に調整することができる薄型ディスプレイ用フィルタが得られる。
【発明を実施するための最良の形態】
【００２２】
以下、図面を参照して、本発明の実施形態に係る薄型ディスプレイ用フィルタについて説明する。
【００２３】
参照する図面において、図１は、本発明の一実施の形態に係る薄型ディスプレイ用フィルタを薄型ディスプレイに装着したときの状態を示す斜視図、図２は同じく薄型ディスプレイ用フィルタの取り付け取り外しにおける状態を表した斜視図、図３は同じく薄型ディスプレイ用フィルタの正面図、図４は同じく薄型ディスプレイ用フィルタの背面図である。本実施形態では、薄型ディスプレイとして、例えば、デスクトップ用パソコンの表示装置として用いられる液晶ディスプレイに取り付け取り外し可能な薄型ディスプレイ用フィルタについて説明する。
【００２４】
図１，図２に示すように、本実施形態の薄型ディスプレイ用フィルタ１は、液晶ディスプレイ３０に対して取り付け取り外し可能に設けられており、取り付けられた状態で、液晶ディスプレイ３０のフロントカバー３１として用いることができるようになっている。
【００２５】
薄型ディスプレイ用フィルタ１は、図３，図４に示すように、枠部２と、この枠部２に取り付けられるフィルタ部３と、枠部２の上部左右に一対設けられた位置調整手段としてのつまみ部４ａ，４ｂとを有している。
【００２６】
枠部２は、合成樹脂材により形成されており、液晶ディスプレイ３０のフロントカバー３１として用いることができるように、液晶ディスプレイ３０の前面に取り付けられる大きさに形成されている。枠部２の周部２ｂには、図４，図５（ａ）に示すように、液晶ディスプレイ３０の前面周部に形成された溝部３４内に位置する凸条部２ｃが設けられている。
前記溝部３４は、図２に示すように、液晶表示部３３の外縁部３３ａと液晶ディスプレイ３０のリアカバー３２の内縁部３２ａとの間隙により形成されており、後記するつまみ部４ａ，４ｂの円形カム部４２，４２が組み込まれるようになっている。この溝部３４は、液晶ディスプレイ３０が一般的に有している構造であり、本実施形態の薄型ディスプレイ用フィルタ１は、この構造を利用して取り付けることができるようになっている。なお、溝部３４は、液晶表示部３３の周囲に積極的に形成しても良い。
なお、枠部２の側部に設けられた前記凸条部２ｃには、図７にも示すように、つまみ部４ａ，４ｂの近傍位置に、突部２ｄ，２ｄが設けられている。この突部２ｄ，２ｄは、前記溝部３４内において、リアカバー３２の内縁部３２ａに当接するようになっており、これによって、液晶ディスプレイ３０に取り付けられた薄型ディスプレイ用フィルタ１の左右方向のがたつきが抑えられるようになっている。
図４に示すように、枠部２には、その背面側における液晶表示部３３（図２参照）の金属製の枠体３５に対向する部位に、取付用の磁石２ｅが所定間隔を置いて複数個設けられている。
【００２７】
フィルタ部３は、図１，図２に示すように液晶ディスプレイ３０の液晶表示部３３の全体を覆う大きさを有しており、図４、図５（ｂ）に示すように、枠部２に設けられた枠溝２ａに嵌め込まれるかたちで固定されている。この枠溝２ａへの固定は、図示しない接着剤等により行われる。なお、枠部２に図示しない係合部材を設けておいて、この係合部材にフィルタ部３の縁部を嵌め込むことにより、ワンタッチで固定されるように構成しても良い。
フィルタ部３は、所望の強度を有するガラス板を基材として、液晶表示部３３に対向する面（背面）に偏光フィルタ３ａが設けられている。この偏光フィルタ３ａは、図１，図２に示した液晶ディスプレイ３０の液晶表示部３３における図示しない画素の水平ラインに対応した帯状の半波長板から構成されており、本実施形態では、図４に示すように、画素の１水平ライン置きの帯状の半波長板を配設した構成となっている。偏光フィルタ３ａ幅は、液晶表示部３３の画素の画素ピッチと同程度である。なお、この偏光フィルタ３ａの設けられた面（背面）は、薄型ディスプレイ用フィルタ１を液晶ディスプレイ３０に取り付けた状態で、液晶表示部３３に密着するように、前記枠溝２ａの深さ、ガラス板の厚さが調整されている。
【００２８】
つまみ部４ａ，４ｂは、枠部２の上部左右に広い間隔を隔てて設けられており、後記するように、その回動操作によって薄型ディスプレイ用フィルタ１を液晶ディスプレイ３０の液晶表示部３３に対して位置調整をする際に使用される。つまみ部４ａ，４ｂは、左右同一の構造となっている。ここでは、つまみ部４ａについて説明する。図６（ａ）（ｂ）に示すように、つまみ部４ａは、枠部２の前面側に配置される操作部４１（特許請求の範囲の請求項１に記載されたつまみ部に相当）と、この操作部４１の背部に設けられ、図８（ａ）（ｂ）に示すように操作部４１の回転軸線Ｏ１に対して偏心した位置に中心軸Ｏ２を有する円形カム部４２とを有している。したがって、操作部４１を回動操作すると、円形カム部４２は、操作部４１の回転軸線Ｏ１に対して偏心した状態で回動するようになる。すなわち、薄型ディスプレイ用フィルタ１を液晶ディスプレイ３０に取り付けた状態では、図８（ａ）に示したように回転軸線Ｏ１から円形カム部４２の中心軸Ｏ２が上側にある状態から、操作部４１を１８０度回動させると、円形カム部４２の位置は、図８（ｂ）に示すように、回転軸線Ｏ１を中心として対称の位置、すなわち、回転軸線Ｏ１の下側に中心軸Ｏ２が移動されるようになる。
【００２９】
このとき、円形カム部４２は、溝部３４内に組み込まれて摺動回動しながら、液晶ディスプレイ３０のリアカバー３２に保持された状態となるので、結果、操作部４１側である枠部２が上下方向に移動されることとなる。すなわち、操作部４１を回動操作すると、前記回転軸線Ｏ１と中心軸Ｏ２との位置関係が変化し、その変化した分、薄型ディスプレイ用フィルタ１が上下動することとなる。
【００３０】
つまみ部４ａを回動操作したときの様子を図９（ａ）〜（ｄ）に示した。ここで、図９（ａ）に示したつまみ部４ａの状態は、図８（ａ）に示したつまみ部４ａの状態に対応しており、以降、つまみ部４ａを図９の紙面上において左回りに９０度ずつ回動したときの状態を図９（ｂ）〜（ｄ）に表した。
前記のように、つまみ部４ａの円形カム部４２は、液晶ディスプレイ３０側の溝部３４内に組み込まれているので、つまみ部４ａを回動操作しても円形カム部４２は、上下方向に移動することが無く、その代わりに、つまみ部４ａの操作部４１側（薄型ディスプレイ用フィルタ１側）が円形カム部４２を中心として液晶ディスプレイ３０に対し上下方向に移動されることとなる。このときの移動量は、操作部４１の回転軸線Ｏ１と円形カム部４２の中心軸Ｏ２との偏心量に相当したものとなる。
【００３１】
このようなつまみ部４ａ，４ｂは、左右に配置されているので、つまみ部４ａ，４ｂをそれぞれ操作することにより、薄型ディスプレイ用フィルタ１の左右両側をそれぞれ上下動させることができ、これによって、液晶ディスプレイ３０に対する薄型ディスプレイ用フィルタ１の位置調整を行うことができる。
このような位置調整を行うことにより、前記偏光フィルタ３ａの各ラインが上下方向へ移動されるようになり、液晶表示部３３における図示しない画素の水平ラインに対応させることができる。
【００３２】
なお、液晶ディスプレイ３０の液晶表示部３３には、視差を含む画像情報を表示することができるようになっている。液晶表示部３３自体は、通常のデスクトップ用のディスプレイとして用いられるもので良く、例えば、視差を含む画像情報を表示するためのアプリケーションが開いていない場合は、通常の画像（動画や静止画）を表示することが可能である。
また、図示しないコンピュータには、位置調整パターン表示プログラムが格納されており、このプログラムが実行されることによって、液晶表示部３３に位置調整用パターンが表示される。位置調整用パターンとしては、記号や文字等が用いられる。
【００３３】
次に、このような薄型ディスプレイ用フィルタ１の位置調整について説明する。
まず、図２に示すように、薄型ディスプレイ用フィルタ１を、その枠部２の凸条部２ｃが液晶ディスプレイ３０の溝部３４に合うように近づけ、薄型ディスプレイ用フィルタ１を液晶ディスプレイ３０の前面に取り付ける操作を行う。このとき、枠部２の背面側に設けられた磁石２ｅ（図４参照）が、液晶表示部３３の枠体３５に吸着して、薄型ディスプレイ用フィルタ１が取り付けられる。このとき、つまみ部４ａ，４ｂの円形カム部４２が溝部３４からずれているようであれば、これが組み込まれるように上下あるいは左右方向にずらして移動させる。
【００３４】
その後、図示しないコンピュータを操作して、液晶ディスプレイ３０の液晶表示部３３に位置調整用パターンの画像を表示する。この画像としては、例えば、液晶表示部３３の１ラインごとに異なる文字や背景色を構成する情報が交互に表示されるものなどが用いられる。これを図示しない偏光メガネを用いて目視し、左眼と右眼に所定の文字や背景が映るかどうかをテストする。この場合に、所定の文字や背景が映らない場合には、液晶表示部３３の画素の平行ラインと薄型ディスプレイ用フィルタ１の偏光フィルタ３ａの相対位置関係が平行方向からずれているということが考えられる。
【００３５】
図１０は、このような相対位置関係がずれている場合を模式的に示した図であり、（ａ）は、全体のずれを表した模式図、（ｂ）は、これを部分的に拡大して表した模式図である。薄型ディスプレイ用フィルタ１を液晶ディスプレイ３０に取り付けた状態では、製造精度等の違いから、図１０（ａ）に示すように、１水平ライン置きに帯状の半波長板とされた偏光フィルタ３ａが、液晶表示部３３の対応する１水平ラインの画素Ｇ（ＲＧＢ）と一致せずに平行方向からずれた状態（右上がり状態）となっていることが多い。このずれは、例えば、端部におけるずれ量ｘが、約５０μｍずれている場合でも、立体画像として偏光メガネで目視した場合に不具合な画像となってしまう。
【００３６】
このような場合に、図３に示すように、右側のつまみ部４ａを回動操作して、薄型ディスプレイ用フィルタ１の右側を下げるように位置調整をする。
前記のようにつまみ部４ａの背部に設けられた円形カム部４２は、溝部３４に対して回転摺動可能に組み込まれているので、液晶表示部３３の前面に薄型ディスプレイ用フィルタ１を取り付けた後に、つまみ部４ａを回動操作すると、その周部が溝部３４に対して回転摺動する。円形カム部４２は、図８（ａ）（ｂ）に示すように、つまみ部４ａの回転軸線Ｏ１に対して偏心した位置に中心軸Ｏ２を有するので、つまみ部４ａを回転させると、溝部３４に対して摺動回転しつつ上下方向に移動され、その移動によって、薄型ディスプレイ用フィルタ１が上下方向に位置調整される。
【００３７】
すると、図１１（ａ）（ｂ）に示すように、偏光フィルタ３ａが、液晶表示部３３の対応する１水平ラインの画素Ｇ（ＲＧＢ）と一致して平行方向（正規の状態）に補正される。
このような位置調整は、図示しない偏光メガネを用いて目視しながら行うことができる。したがって、立体画像を目視するときと同じ状態で位置調整を行うことができる。
【００３８】
前記のような位置調整にあたっては、そのずれの状況によって、左右のつまみ部４ａ，４ｂの両方を同時に操作することによっても行うことができる。
本実施形態では、つまみ部４ａ，４ｂの操作により、それぞれ上下方向に１ｍｍ移動可能に構成されている。したがって、左右のつまみ部４ａ，４ｂを同時に操作した場合には、左右で２ｍｍ移動可能となる。また、左右のつまみ部４ａ，４ｂを異なる方向、例えば、左側を上方向に移動操作するとともに右側を下方向に移動操作（あるいは、この操作の逆方向に操作）することにより、薄型ディスプレイ用フィルタ１を回転する方向に移動させることができる。本実施形態では、１度から１．５度の範囲での回転位置調整が可能となる。
なお、円形カム部４２の直径を大きくするとともに、回転軸線Ｏ１と中心軸Ｏ２との偏心量を増やすことで上下方向の移動量や回転位置調整角度を大きくすることができる。一方、円形カム部４２の直径や偏心量は、小さいほうが位置の微調整がより容易である。
【００３９】
図１１（ａ）（ｂ）に示す状態に位置調整した後、液晶ディスプレイ３０の液晶表示部３３に視差に対応した画像情報を表示する。これにより、視差に対応した画像情報が１ラインごとに表示され、偏光フィルタ３ａを通過した画像情報が直線偏光される。すると、この直線偏光された画像情報が、偏光フィルタ３ａを通過しなかった画像情報と直交された状態となり、これを偏光メガネで目視することにより、立体画像として認識できるようになる。
【００４０】
以上説明した本発明によれば、液晶表示部３３の前面に薄型ディスプレイ用フィルタ１を取り付けることにより、これを液晶ディスプレイ３０のフロントカバー３１とすることができる。取り付けは、つまみ部４ａ，４ｂの背部にそれぞれ設けられた円形カム部４２，４２が、液晶表示部３３とリアカバー３２との間に形成された溝部３４に対して組み込まれることにより行われる。
【００４１】
このように、薄型ディスプレイ用フィルタ１を液晶表示部３３に取り付ける際の、位置調整手段に係る部分の取り付けとしては、つまみ部４ａ，４ｂの円形カム部４２，４２を溝部３４に対して回転摺動可能に組み込むだけで良いので、薄型ディスプレイ用フィルタ１の取り付けが簡単であるという利点が得られる。なお、薄型ディスプレイ用フィルタ１を液晶表示部３３から取り外す際には、前記円形カム部４２，４２と溝部３４との組み込みを解除することにより簡単に行うことができる。
【００４２】
溝部３４は、液晶表示部３３の外縁部３３ａと液晶ディスプレイ３０のリアカバー３２の内縁部３２ａとにより形成されており、円形カム部４２，４２は、この溝部３４を利用して組み込むことができるので、液晶ディスプレイ３０が一般的に有している構造をうまく利用して薄型ディスプレイ用フィルタ１を取り付けることがでる。したがって、汎用性の高い薄型ディスプレイ用フィルタ１が得られる。これにより、別途、液晶表示部３３の周部に溝部３４を設ける必要が無くなり、製造コストの低減を図ることができる。
【００４３】
また、枠部２には、液晶表示部３３の金属製の枠体３５に対向する部位に、取付用の磁石２ｅが設けられているので、この磁石２ｅを用いて枠部２を液晶表示部３３の枠体３５に取り付けることができる。取り付けに時には、液晶表示部３３の枠体３５に枠部２を接触させるという操作を行うだけで、枠部２が液晶表示部３３の枠体３５に吸着するようにして保持されることとなり、取り付けが行い易いという利点が得られる。したがって、取り付け操作を片手で行うこともできる。さらに、取り付けに際しては、一度、磁石２ｅにより薄型ディスプレイ用フィルタ１を液晶表示部３３の枠体３５におおまかな状態で吸着させておいてから、ずらすようにして正確な位置に移動させるようにして取り付けても良い。
【００４４】
取り外す際には、磁石２ｅによる接合が解除されるように、薄型ディスプレイ用フィルタ１を液晶ディスプレイ３０から引き剥がすようにすれば良い。
さらに、磁石２ｅによる吸着によって、枠部２が液晶表示部３３の枠体３５に取り付けられるので、つまみ部４ａ，４ｂによる位置調整時に、枠部２と枠体３５との相対的な移動が阻害されることが無い。しかも、磁石２ｅによる吸着力によって、つまみ部４ａ，４ｂの回動操作時には、つまみ部４ａ，４ｂに対して程よい操作感（吸着による抵抗感）が付与されるようになる。
【００４５】
ところで、図８（ａ）（ｂ）において、仮に、円形カム部４２の直径に対して溝部３４の幅が大きいときは、枠部２に設けられた磁石２ｅの吸引力の強さにもよるが、吸引力が強い場合には、一担、薄型ディスプレイ用フィルタ１が上方に移動したら、その位置にとどまり、つまみ部４ａ，４ｂを回動操作しても薄型ディスプレイ用フィルタ１が下方に移動しなくなる。これに対し、本実施形態では、円形カム部４２が溝部３４に組み込まれるようになっており、溝部３４の幅が円形カム部４２の直径と略等しく形成されているので、つまみ部４ａ，４ｂの回動操作に連動して薄型ディスプレイ用フィルタ１を常に上下動させることができるという利点が得られる。
【００４６】
また、つまみ部４ａ，４ｂは、間隔を隔てて配置されているので、間隔を隔てて設けられている分、つまみ部４ａ，４ｂの回動操作による位置調整量を小さくすることができるようになり、より高精度の位置調整を行うことができる。また、つまみ部４ａ，４ｂを同時に操作して位置調整をすることができるので、ひとつの位置調整手段を用いて位置調整を行う場合に比べて、調整作業が行い易い。また、一対の位置調整手段における各つまみ部を操作して、相対する方向に位置調整をすることにより、結果的に、回転方向への位置調整が可能となる。
【００４７】
さらに、偏光フィルタ３ａは、液晶ディスプレイ３０に薄型ディスプレイ用フィルタ１が取り付けられた状態で液晶表示部３３の表示面に対して密着するので、液晶表示部３３に表示される左眼用と右眼用の視差画像情報が、偏光フィルタ３ａを介して所望の方向へ略正確に分割偏光されることとなり、より精度の高い立体画像が得られるようになる。これにより、例えば、モアレ現象等の画像の劣化も生じ難くなる。なお、偏光フィルタ３ａの基材となるガラス板は、角部やエッジ部を面取りしても良い。これにより、取り付け取り外し時や位置調整時に液晶表示部３３が傷つくおそれが無い。
【００４８】
以上、本発明に係る実施形態について説明したが、本発明はこれらに限定されず、発明の主旨に応じた適宜の変更実施が可能であることはいうまでもない。例えば、偏光フィルタ３ａは、表示面全体に設ける必要は無く、左半分あるいは右半分に形成されるようにしても良い。また、本実施形態では、画像表示部として液晶パネルを採用したが、その他、発光素子アレイ表示装置、有機エレクトロルミネセンス表示装置等、種々のものを採用することができる。
【図面の簡単な説明】
【００４９】
【図１】本発明の一実施の形態に係る薄型ディスプレイ用フィルタを液晶ディスプレイに装着したときの状態を示す斜視図である。
【図２】同じく薄型ディスプレイ用フィルタの取り付け取り外しにおける状態を表した斜視図である。
【図３】同じく薄型ディスプレイ用フィルタの正面図である。
【図４】同じく薄型ディスプレイ用フィルタの背面図である。
【図５】（ａ）は、薄型ディスプレイ用フィルタの拡大側面図、（ｂ）は、図３におけるｂ−ｂ線拡大断面図である。
【図６】（ａ）は、つまみ部周辺の拡大正面図、（ｂ）は、つまみ部周辺の拡大背面図である。
【図７】つまみ部周辺の拡大側面図である。
【図８】（ａ）（ｂ）は、つまみ部の回動操作を説明するための拡大断面図である。
【図９】（ａ）〜（ｄ）は、つまみ部の作用説明図である。
【図１０】相対位置関係がずれている状態を模式的に示した図であり、（ａ）は、全体のずれを表した模式図、（ｂ）は、これを部分的に拡大して表した模式図である。
【図１１】相対位置関係が適正な状態を模式的に示した図であり、（ａ）は、全体を表した模式図、（ｂ）は、これを部分的に拡大して表した模式図である。
【符号の説明】
【００５０】
１      薄型ディスプレイ用フィルタ
２      枠部
２ｅ    磁石
３      フィルタ部
３ａ    偏光フィルタ
４ａ，４ｂ    つまみ部
３０    液晶ディスプレイ
３１    フロントカバー
３２    リアカバー
３２ａ  内縁部
３３    液晶表示部
３３ａ  外縁部
３４    溝部
３５    枠体
４１    操作部
４２    円形カム部
Ｇ      画素
Ｏ１    回転軸線
Ｏ２    中心軸
【図１】
2005173033.tif 000003
【図２】
2005173033.tif 000004
【図３】
2005173033.tif 000005
【図４】
2005173033.tif 000006
【図５】
2005173033.tif 000007
【図６】
2005173033.tif 000008
【図７】
2005173033.tif 000009
【図８】
2005173033.tif 000010
【図９】
2005173033.tif 000011
【図１０】
2005173033.tif 000012
【図１１】
2005173033.tif 000013